(57)【特許請求の範囲】
【請求項１】
電池及び該電池を電源とする発光装置を該発光装置の発光素子が対向する壁面が透光性である収容体内に収容し、前記電池を前記発光素子に対して進退可能とし、前記電池の進退で前記発光装置の発光素子の点灯・消灯を切換えるスイッチ回路を設け、しかも収容体を縦長な筒状とし、且つ少なくとも一部分を蛇腹に形成して伸縮可能とし、同収容体の伸縮で電池を発光素子に対して進退させ、前記電池の進退で前記収容体の透光部分からの発光装置の発光を点灯又は消灯のいずれかの状態としたことを特徴とする小型電気発光体。
【請求項２】
収容体が密閉容器である請求項１記載の小型電気発光体。
【請求項３】
発光素子が位置する収容体の部分に蛍光物質を塗布又は混入させた請求項１記載の小型電気発光体。
【発明の詳細な説明】
【０００１】
【発明の属する技術分野】
本発明は、釣竿の穂先に取付けて暗い場所で穂先の動きを見たり、暗い場所で魚釣りの浮きの動きを見たり、又集魚灯・識別灯・アクセサリー・インテリア・手もと照明として用いる小型電気発光体に関する。
【０００２】
【従来の技術】
従来の小型電気発光体は、電池を収容体内にセットすることで、収容体内に設けた発光素子を点灯させ、又電池を収容体内から取り外すことで発光素子を消灯させる構造である。
このため、発光素子を消灯させた状態では、電池と収容体を切り離して保管するか、または収容体内に保管する。
収容体内に収容するためには、電池ソケットに電池を逆に差し込む必要がある。
ふたたび発光素子を点灯させる場合、前者では、電池を探す手間がかかり、後者では一度収容体から電池を取り出して電池ソケットに正位置に差し込み直すという手間がかかり、発光素子の点灯・消灯の作業性が悪いものである。
更に、電池の出し入れを行うために収容体は上下に２分割された構造であり、且つ収容体の上下の分解部分は、螺合により連結される構造である。しかもこの螺合部は防水構造となっており、防水構造を施す分だけ電気浮きの外観が大きくなり易く、小型化が図りにくいという問題点がある。
【０００３】
【発明が解決しようとする課題】
本発明が解決しようとする第１の課題は従来のこれらの問題点を解消し、発光素子の点灯・消灯の作業が容易に迅速且つ確実に行え、作業性が向上する小型電気発光体を提供することにある。
第２の課題は構造のシンプル化が行え、より外観の小型化が図れるものとすることにある。
【０００４】
【課題を解決するための手段】
かかる課題を解決した本発明の構成は、
１）  電池及び該電池を電源とする発光装置を該発光装置の発光素子が対向する壁面が透光性である収容体内に収容し、前記電池を前記発光素子に対して進退可能とし、前記電池の進退で前記発光装置の発光素子の点灯・消灯を切換えるスイッチ回路を設け、しかも収容体を縦長な筒状とし、且つ少なくとも一部分を蛇腹に形成して伸縮可能とし、同収容体の伸縮で電池を発光素子に対して進退させ、前記電池の進退で前記収容体の透光部分からの発光装置の発光を点灯又は消灯のいずれかの状態としたことを特徴とする小型電気発光体
２）  収容体が密閉容器である前記１）記載の小型電気発光体。
３）  発光素子が位置する収容体の部分に蛍光物質を塗布又は混入させた前記１）記載の小型電気発光体
にある。
【０００５】
【作用】
請求項１記載の発明は、収容体内に進退可能に収容した電池を収容体の外から指で押したり、進退させる部材を用いる等して電池を進退させ、スイッチ回路により発光素子の発光及び発光を止めることが出来る。収容体を筒状とし、しかも収容体の途中に設けた蛇腹を伸縮することで収容体を伸縮させる構成であり、蛇腹が収縮した分だけ収容体内の電池が収容体と共に発光素子に対し前進する。
又収縮した蛇腹を伸ばすと収容体と共に電池が後退していく。このように収容体の収縮で電池が進退するものとなり、前記同様に電池の進退でスイッチ回路をＯＮ・ＯＦＦさせ、発光素子の発光及び発光を止めることが出来る。
【０００６】
【発明の実施の形態】
収容体は縦長な筒状としたり、箱型とする等、使用状況によって異なる。
又、収容体は密閉のものと、密閉でないものがある。収容体は、全体又は発光装置の発光素子と対向する一部の壁面が半透明の場合と透明の場合とがある。
収容体は軟質と硬質の場合とがあり、前者の軟質の場合の素材の一例としては、ポリエチレンやポリプロピレン等がある。
発光装置の発光素材としては、ＬＥＤ・ランプ等が一般的に用いられる。
蛍光物質は赤色用・青色用・緑色用・黄色用・橙色用と用途に応じて異なる。
【０００７】
【実施例】
以下本発明の実施例を図面に基づいて説明する。
図１は実施例１での小型電気発光体の点灯状態の縦断面図、図２は実施例１での小型電気発光体の消灯状態の縦断面図、図３は実施例２での小型電気発光体の点灯状態の縦断面図、図４は実施例２での小型電気発光体の消灯状態の縦断面図、図５は実施例３での小型電気発光体の点灯状態の縦断面図、図６は実施例３での小型電気発光体の消灯状態の縦断面図、図７は実施例４での小型電気発光体の点灯状態の縦断面図、図８は実施例４での小型電気発光体の消灯状態の縦断面図である。
【０００８】
図１，２に示す実施例１と図３，４に示す実施例２と図５，６に示す実施例３と図７，８に示す実施例４は、収容体の一部に蛇腹を設け、収容体を収縮させて点灯状態とし、収容体を伸ばして消灯状態とした例である。
【０００９】
；実施例１（図１〜４参照）
図中１は小型電気発光体、２は発光装置の発光素子となるＬＥＤ、３は内径が電池の外径程の密閉内部空間を有し且つ高さが５ｃｍ程でポリプロピレン又はポリエチレンを素材とした透明な円柱形状の収容体、４は電池、５は電池のプラス極、６は電池のマイナス極、８は収容体３の下端から外へ露出し且つ発光装置に接続する第１端子、９は収容体３の下端から外へ露出し且つ発光装置に接続する第２端子、１４はＬＥＤ２と対向する収容体３の先端部分の外表面に塗布した赤色用の蛍光物質である。
【００１０】
；実施例１（図１，２参照）
図１，２中２０は収容体３の途中に形成した蛇腹である。
図１，２に示す実施例１では、収容体３の途中に蛇腹２０を形成することで、収容体３の長さを伸縮可能としている。このため、蛇腹２０を収縮して収容体３の長さを短くすることで収容体３内の電池４が収容体３の内部空間をＬＥＤ２側へ前進するものとなる。
又蛇腹２０を収縮した状態とした場合では、第１端子８はマイナス極６となる電池４の上端に接触し且つ第２端子９はプラス極５となる電池４の側面に接触した状態となり、又蛇腹２０を伸ばした状態とした場合では、第２端子９だけが電池４の側面から離れるように設けている。
このため、蛇腹２０を収縮した状態でＬＥＤ２が発光し、蛇腹２０を伸ばした状態でＬＥＤ２の発光が止まる。
蛇腹２０は収縮状態で保持されるので、連続発光が行える。発光を止める場合は収容体３の上下部分を逆方向へ引き、蛇腹２０を伸ばせばよい。
【００１１】
；実施例２（図３，４参照）
図３，４に示す実施例２は構造が前記実施例１とほぼ同一であり、異なる点は、蛇腹２０を伸ばした場合に、第１端子８だけがマイナス極６となる電池４の上端から離れ、第２端子９はプラス極５となる電池４の側面から離れないように、第１端子８と第２端子９とを設けている点である。
その他の符号・構成や作用・効果は前記実施例１と同じである。
【００１２】
；実施例３（図５，６参照）
図中２１は２つの電池４それぞれのマイナス極６となる上端同士を通電させる配線である。
図５，６に示す実施例３は、前記実施例２の小型電気発光体１において、ＬＥＤ２を２つとし且つ電池４の数を２つとした例である。
２つのＬＥＤ２を用いることで発光量が大きくなり、且つ２つの電池４を用いることで発光時間を長く出来る。
２つのＬＥＤ２は同色の発光色とする場合と、異なる発光色とする場合がある。
その他の符号・構成や作用・効果は前記実施例２と同じである。
【００１３】
；実施例４（図７，８参照）
図中２２はプラス極５となる電池４の側面部分に上方へ突出するように固着した配線である。
図７，８に示す実施例４では、第２端子９はプラス極５となる電池４の側面から突出するように設けた配線２２と接触することで、通電状態となる例である。又、蛇腹２０が収縮した状態では、第１端子８はマイナス極６となる電池４の上端と接触し、第２端子９は電池４から突出する配線２２と接触し、ＬＥＤ２が発光する。
蛇腹２０が伸びた状態では、第１端子８は電池４のマイナス極６と接触したままとなるが、第２端子９は電池４から伸びる配線２２から離れるので、ＬＥＤ２の発光は止まる。
その他の符号・構成や作用・効果は前記実施例１と同じである。
【００１４】
【発明の効果】
本発明によれば、小型電気発光体の点灯及び消灯が容易に迅速且つ確実に行え、又点灯・消灯の切換え作業の作業性が大幅に向上するものとなった。
更に小型電気発光体の構造のシンプル化が図れ、製作単位の軽減及びより小型の小型電気発光体の設計が図れるものとなった。
【図面の簡単な説明】
【図１】  実施例１での小型電気発光体の点灯状態の縦断面図である。
【図２】  実施例１での小型電気発光体の消灯状態の縦断面図である。
【図３】  実施例２での小型電気発光体の点灯状態の縦断面図である。
【図４】  実施例２での小型電気発光体の消灯状態の縦断面図である。
【図５】  実施例３での小型電気発光体の点灯状態の縦断面図である。
【図６】  実施例３での小型電気発光体の消灯状態の縦断面図である。
【図７】  実施例４での小型電気発光体の点灯状態の縦断面図である。
【図８】  実施例４での小型電気発光体の消灯状態の縦断面図である。
【符号の説明】
１    小型電気発光体
２    ＬＥＤ
３    収容体
４    電池
５    プラス極
６    マイナス極
８    第１端子
１４    蛍光物質
２０    蛇腹
２１    配線
２２    配線
【図１】
0003761682.tif 000002
【図２】
0003761682.tif 000003
【図３】
0003761682.tif 000004
【図４】
0003761682.tif 000005
【図５】
0003761682.tif 000006
【図６】
0003761682.tif 000007
【図７】
0003761682.tif 000008
【図８】
0003761682.tif 000009